(57)【要約】【課題】ＣＥＬＬ＿ＦＡＣＨ状態のユーザ端末が、ＣＥＬＬ＿ＦＡＣＨ状態に対応する高速ダウンリンク受信機能停止後、再接続する処理において、ユーザ端末から通知された高速ダウンリンク受信機能のステータス情報と無線状況に基づいて、ＲＲＣ再接続を実施する際の送信電力を制御する技術を提供する。【解決手段】  無線ネットワーク制御装置は、高速ダウンリンク受信機能に対応するユーザ端末を制御する無線ネットワーク制御装置であり、下り電力決定部１−３を備える。下り電力決定１−３は、ユーザ端末が高速ダウンリンク受信機能で動作しているときの送信電力に応じて、ユーザ端末が再接続するときの送信電力オフセットを決定する。【選択図】図１
2012004929.tif 000002
【特許請求の範囲】
【請求項１】
高速ダウンリンク受信機能に対応するユーザ端末を制御する無線ネットワーク制御装置であって、
前記ユーザ端末が高速ダウンリンク受信機能で動作しているときの送信電力に応じて、前記ユーザ端末が再接続するときの送信電力オフセットを決定する送信電力決定手段を備える無線ネットワーク制御装置。
【請求項２】
前記送信電力決定手段は、
前記セル更新前の送信電力オフセットと、前記セル更新前の送信電力とを使用して直前の送信電力値を算出し、ユーザ端末から通知されるＣＰＩＣＨ  Ｅｃ／Ｎｏに応じて必要とされる送信電力を算出し、前記直前の送信電力値と前記必要とされる送信電力とを比較して、前記送信電力オフセットを決定する請求項１記載の無線ネットワーク制御装置。
【請求項３】
前記送信電力決定手段は、
前記直前の送信電力値が前記必要とされる送信電力より大きい場合、前記必要とされる送信電力から前記直前の送信電力値との差分を前記送信電力オフセットに決定し、
前記直前の送信電力値が前記必要とされる送信電力以下場合、前記直前の送信電力値を前記送信電力オフセットに決定することを特徴とする請求項１または２記載の無線ネットワーク制御装置。
【請求項４】
前記送信電力決定手段は、
前記ユーザ端末から通知されたステータス情報を解析し、前記ユーザ端末が高速ダウンリンク受信機能を継続できない場合に、送信電力オフセットを決定することを特徴とする請求項１乃至３のいずれか一項に記載の無線ネットワーク制御装置。
【請求項５】
前記ユーザ端末が高速ダウンリンク受信機能で動作中に、セル更新を発生させたことを検出する制御手段をさらに備え、
前記送信電力決定手段は、前記制御手段が前記セル更新の発生を検出したことに応じて、処理を開始することを特徴とする請求項１乃至４にいずれか一項に記載の無線ネットワーク制御装置。
【請求項６】
高速ダウンリンク受信機能に対応するユーザ端末を制御する無線ネットワーク制御方法であって、
前記ユーザ端末が高速ダウンリンク受信機能で動作しているときの送信電力を取得し、
前記送信電力に応じて、前記ユーザ端末が再接続するときの送信電力オフセットを決定する
無線ネットワーク制御方法。
【請求項７】
高速ダウンリンク受信機能に対応するユーザ端末を制御する無線ネットワーク制御において送信電力オフセットを決定するプログラムであって、
コンピュータに、
前記ユーザ端末が高速ダウンリンク受信機能で動作しているときの送信電力を取得する取得手順と、
前記送信電力に応じて、前記ユーザ端末が再接続するときの送信電力オフセットを決定する決定手順と、を実行させるプログラム。
【発明の詳細な説明】
【技術分野】
【０００１】
本発明は、移動体通信システムにおけるユーザ端末の制御に関し、特に、ＨＳＰＡ（高速パケットアクセス：High Speed Packet Access）  ｅｖｏｌｕｔｉｏｎでのＥｎｈａｎｃｅｄ  ＣＥＬＬ＿ＦＡＣＨの制御に関する。
【背景技術】
【０００２】
ＨＳＰＡ  ｅｖｏｌｕｔｉｏｎは、第三世代方式の標準化団体（３ＧＰＰ：第三世代パートナーシッププロジェクト）の発行したＲｅｌｅａｓｅ  ７規格で標準化されたものであり、第三携帯電話通信方式のＷＣＤＭＡ（広帯域多元分割接続）方式のデータ通信を高速化した規格の一つである。ＨＳＰＡ  ｅｖｏｌｕｔｉｏｎでは、ＣＥＬＬ＿ＤＣＨ（セル専用チャネル）状態のほかに、ＣＥＬＬ＿ＦＡＣＨ（セルフォワードアクセスチャネル）状態にもＨＳＤＰＡ（高速ダウンリンクパケットアクセス）と同様な機能（高速ダウンリンク共用チャネル受信機能：Ｅｎｈａｎｃｅｄ  ＣＥＬＬ＿ＦＡＣＨ）を導入している。この機能は、ＣＥＬＬ＿ＦＡＣＨ状態のＵＥ（ユーザ端末）において、ＨＳ−ＤＳＣＨ（高速ダウンリンク共有チャネル）とＨＳ−ＳＣＣＨ（ＨＳ−ＤＳＣＨ共用制御チャネル）を併せてダウンリンクデータを受信することを可能にする。これにより、ピークデータ率、信号遅延、状態遷移遅延、セル容量を改善する。
【０００３】
例えば、特許文献１には、移動通信システムにおけるＭＢＭＳ（Multimedia Broadcast/Multicast Service）用のＳＣＰＣＨ（ＦＡＣＨ）の送信電力を基地局にて適切に制御して、基地局近傍に位置する移動機に対しての過剰な受信品質や他セルへの干渉を防止する技術が開示されている。また、特許文献２には、無線通信システムのＵＥにおいて、ＣＥＬＬ＿ＦＡＣＨ状態にお対応する高速ダウンリンク機能を通して、ＲＲＣ（無線資源制御）更新プロセスデータ伝送効率を向上させる方法及び装置を提供する技術が開示されている。
【０００４】
ＵＴＲＡＮ（ＵＭＴＳ無線アクセスネットワーク）は、システム情報ブロードキャスト方式で、ＨＳ−ＳＣＣＨ構成、ＨＳ−ＤＳＣＨ構成および共通Ｈ−ＲＮＴＩ（ＨＳ−ＤＳＣＨ無線ネットワーク識別子）などの送信パラメータをＵＥに送信する。ＵＥは、送信された送信パラメータを使用して、ＣＥＬＬ＿ＦＡＣＨ状態でのＨＳ−ＤＳＣＨの受信状態を設定する。なお、ＵＴＲＡＮは、専用ＲＲＣ信号を用いて、ＵＥに保存されたＨ−ＲＮＴＩを再配置することができる。
【０００５】
ＣＥＬＬ＿ＦＡＣＨ状態のＨＳＤＰＡ（高速ダウンリンクパケットアクセス）機能について、ダウンリンクのチャネル構成としては、ＨＳ−ＳＣＣＨなど数本の独立したダウンリンク共用物理制御チャネルに伴う１本から数本のＨＳ−ＰＤＳＣＨを含む。また、アップリンクに関しては、ＣＥＬＬ＿ＦＡＣＨ状態には専用チャネルが配置されていないので、関連アップリンク制御信号の送信に用いられる専用の物理制御チャネルがなく、ＡＣＫ／ＮＡＣＫメッセージをサポートする信号送信もない。言い換えればＭＡＣ（Message Authentication Code）−ｈｓエンティテイはアップリンク信号なしで再送することができる。
【０００６】
このとき、ＵＥは、高速ダウンリンク受信機能を実行するために共通のＨ−ＲＮＴＩと専用のＨ−ＲＮＴＩを用いる。これらのＨ−ＲＮＴＩはＵＥのＩＤを示す。ＵＥは、二つのＨ−ＲＮＴＩを利用してそれ自身に属するダウンリンクパケットを受信することができる。また、この２つのＨ−ＲＮＴＩの使用状態を示す変数（ステータスパラメータ）を管理することによって高速ダウンリンク受信機能の動作を制御している。
【０００７】
このステータス（二つのＨ−ＲＮＴＩの使用状態）は、ＣＥＬＬ＿ＦＡＣＨ時でかつ、ＲＲＣプロトコルによってＨＳ−ＰＤＳＣＨシステム情報に関する情報要素（ＩＥ）を持つ設定メッセージを受信した場合に判断される。したがって、高速ダウンリンク受信機能を動作中にセル更新プロセスが起動された場合、ＵＥは、高速ダウンリンク受信機能をサポートしていれば、ＵＥは共通Ｈ−ＲＮＴＩにて高速ダウンリンク受信機能を実行する。しかし、選択されたセルが高速ダウンリンク受信機能をサポートしていない場合、ブロードキャスト情報（ＳＩＢタイプ５、６）には関連のＩＥが含まれないため、ＵＥではＲＲＣ接続を切断することになる。また、データ受信を再開するためには再接続を実施する必要がある。
【０００８】
ＵＴＲＡＮは、上述した通り、システム情報ブロードキャスト方式でＵＥの高速ダウンロード共用チャネル受信機能を起動する。関連パラメータとしてＨＳ−ＳＣＣＨ／ＨＳ−ＤＳＣＨ構成、共通Ｈ−ＲＮＴＩ（ＨＳ−ＤＳＣＨ無線ネットワーク識別子）パラメータがある。これらのパラメータは、ＰＣＣＰＣＨ（primary common control physical channel：１次共通制御物理チャネル）のＳＩＢ（システム情報ブロック）タイプ５／５ｂｉｓのダウンリンクＨＳ−ＰＤＳＣＨシステム情報（Downlink HS-PDSCH system information）という情報要素（以下、ＩＥ）を通して、ＩｄｌｅモードのＵＥに送信される。もしくはＳＩＢタイプ６の接続モードダウンリンク（HS-PDSCH information for connected mode）というＩＥにてＲＲＣ接続モードのＵＥに送信される。なお、ＩＥは、３ＧＰＰ  ＴＳ２５．３３１に記載されているものであり、ここで詳細な説明を省略する。
【０００９】
ＵＥは、共通Ｈ−ＲＮＴＩまたは専用のＨ−ＲＮＴＩを使用して高速ダウンリンク受信機能を実行することができる。共通Ｈ−ＲＮＴＩと専用Ｈ−ＲＮＴＩはＵＥのＩＤを示すものでこれを使用してＵＥは自身に属する下りパケットを受信できる。ＵＥには、ＨＳ＿ＤＳＣＨ＿ＲＥＣＥＰＴＩＯＮ＿ＣＥＬＬ＿ＦＡＣＨ＿ＳＴＡＴＥ変数とＨＳ＿ＤＳＣＨ＿ＲＥＣＥＰＴＩＯＮ＿ＯＦ＿ＣＣＣＨ変数があり、それぞれ専用Ｈ−ＲＮＴＩと共通Ｈ−ＲＮＴＩの使用状態を示すパラメータである。
【００１０】
図５に高速ダウンリンク受信機能の起動について記載する。まずは、ＵＥは、ＣＥＬＬ＿ＦＡＣＨ状態にあることを確認する［ステップＳ９１］。次に専用Ｈ−ＲＮＴＩ変数の設定が完了しているか確認する［ステップＳ９２］。次に、ＳＩＢ５／５ｂｉｓおよびＳＩＢ６にＩＥが含まれていることを確認する［ステップＳ９３］。この３つの条件をすべて満たしたことにより、ＨＳ＿ＤＳＣＨ＿ＲＥＣＥＰＴＩＯＮ＿ＣＥＬＬ＿ＦＡＣＨ＿ＳＴＡＴＥ変数を真（ＴＲＵＥ）に設定する［ステップＳ９４］。そして、ＩＥのいずれかの情報データに基づき、物理・ＭＡＣ層に高速ダウンリンク受信機能の関連動作を起動する［ステップＳ９６］。ＵＥが３つの条件のいずれかに合致しなかった場合、ＨＳ＿ＤＳＣＨ＿ＲＥＣＥＰＴＩＯＮ＿ＣＥＬＬ＿ＦＡＣＨ変数を偽（ＦＡＬＳＥ）に設定する［ステップＳ９５］。そして、高速ダウンリンク受信機能を停止する［ステップＳ９７］。
【００１１】
ＵＥが、ＣＥＬＬ＿ＦＡＣＨ状態になってからＨＳ＿ＤＳＣＨ＿ＲＥＣＥＰＴＩＯＮ＿ＯＦ＿ＣＣＣＨ変数が偽になった場合、ＵＥは高速ダウンリンク受信動作を停止し、ＩＮＶＡＬＩＤ＿ＣＯＮＦＩＧＲＡＴＩＯＮ変数を真（ＴＲＵＥ）に設定する。これにより無効なＲＲＣ構成であることになり、ＵＥはＲＲＣ接続を切断し、アイドリング状態に入る。
【００１２】
ＵＥは、２つの状態でＩＮＶＡＬＩＤ＿ＣＯＮＦＩＧＲＡＴＩＯＮ変数を真（ＴＲＵＥ）に設定する。１つは、Ｈ−ＲＮＴＩ変数が設定されてない、もしくは削除された場合、２つは、ＳＩＢタイプ５／５ｂｉｓと、ＳＩＢタイプ６とのいずれにも対応するＩＥが含まれていない場合である。
【００１３】
このように高速ダウンリンク受信機能を実行する間、ＵＥは移動することにともなって、セル更新プロセスを起動する。セル更新プロセスの起動原因としては、セル再接続、無線リンク障害などが挙げられる。ＵＥでセル再選択によりセル更新プロセスを起動した場合、選択先セルが高速ダウンリンク受信機能をサポートしていれば、専用Ｈ−ＲＮＴＩ変数を削除し、ＨＳ＿ＤＳＣＨ＿ＲＥＣＥＰＴＩＯＮ＿ＯＦ＿ＣＣＣＨ変数を真（ＴＲＵＥ）に設定し、ＵＥは共通Ｈ−ＲＮＴＩで高速ダウンリンク受信機能を実行する。しかし、接続先のセルで高速ダウンリンク受信機能をサポートしていない場合、ＳＩＢタイプ５／ｂｉｓ５、ＳＩＢタイプ６に関連のＩＥが含まれず［ステップＳ９３でＮＯ］、ＨＳ＿ＤＳＣＨ＿ＲＥＣＥＰＴＩＯＮ＿ＣＥＬＬ＿ＦＡＣＨ変数が真（ＴＲＵＥ）から偽（ＦＡＬＳＥ）になる［ステップＳ９５］。それと同時にＨＳ＿ＤＳＣＨ＿ＲＥＣＥＰＴＩＯＮ＿ＯＦ＿ＣＣＣＨ変数が偽（ＦＡＬＳＥ）となる。このため、機能判断プロセスに従えば、ＵＥは、ＩＮＶＡＬＩＤ＿ＣＯＮＦＩＧＲＡＴＩＯＮ変数を真（ＴＲＵＥ）に設定する。これよりＵＥはＲＲＣ接続を切断する。従って、ＵＥは、データ受信を再開するためには、ＲＲＣ再接続を実施する必要が生じる。
【先行技術文献】
【特許文献】
【００１４】
【特許文献１】特開２００８−０２８４８９号公報
【特許文献２】特開２００８−２４５２８０号公報
【発明の概要】
【発明が解決しようとする課題】
【００１５】
しかしながら、ＲＲＣ再接続を実施する場合、ＵＥの受信環境状態によってはセル更新がスムーズに行われない可能性がある。例えば、再接続時の初期送信電力によっては、セル再接続に失敗し、セル更新がスムーズに行われないという問題があった。
【００１６】
そこで、本発明は、ＣＥＬＬ＿ＦＡＣＨ状態のＵＥが、ＣＥＬＬ＿ＦＡＣＨ状態に対応する高速ダウンリンク受信機能停止後、再接続する処理において、ＵＥから通知された高速ダウンリンク受信機能のステータス情報と無線状況に基づいて、ＲＲＣ再接続を実施する際の送信電力を制御する技術を提供する。
【課題を解決するための手段】
【００１７】
本発明に係る無線ネットワーク制御装置の一態様は、高速ダウンリンク受信機能に対応するユーザ端末を制御する無線ネットワーク制御装置であり、下り電力決定手段を備える。下り電力決定手段は、前記ユーザ端末が高速ダウンリンク受信機能で動作しているときの送信電力に応じて、前記ユーザ端末が再接続するときの送信電力オフセットを決定する。
【００１８】
また、本発明に係る無線ネットワーク制御方法の一態様は、高速ダウンリンク受信機能に対応するユーザ端末を制御する無線ネットワーク制御方法であって、前記ユーザ端末が高速ダウンリンク受信機能で動作しているときの送信電力を取得し、前記送信電力に応じて、前記ユーザ端末が再接続するときの送信電力オフセットを決定する。
【００１９】
高速ダウンリンク受信機能に対応するユーザ端末を制御する無線ネットワーク制御において送信電力オフセットを決定するプログラムであって、コンピュータに、前記ユーザ端末が高速ダウンリンク受信機能で動作しているときの送信電力を取得する取得手順と、前記送信電力に応じて、前記ユーザ端末が再接続するときの送信電力オフセットを決定する決定手順と、を実行させる。
【発明の効果】
【００２０】
本発明によれば、ＣＥＬＬ＿ＦＡＣＨ状態のＵＥが、ＣＥＬＬ＿ＦＡＣＨ状態に対応する高速ダウンリンク受信機能停止後、再接続する処理において、ＵＥから通知された高速ダウンリンク受信機能のステータス情報と無線状況に基づいて、ＲＲＣ再接続を実施する際の送信電力を制御することができる。これにより、ＲＲＣ再接続処理を促進することが可能になる。
【図面の簡単な説明】
【００２１】
【図１】無線ネットワーク制御装置、ＮｏｄｅＢの構成例を示すブロック図である。
【図２】ユーザ端末の構成例を示すブロック図である。
【図３】ユーザ端末において高速ダウンリンク受信機能を実施中に、セル更新が発生した場合の動作例を示すフローチャートである。
【図４】下り送信電力決定処理の動作例を示すフローチャートである。
【図５】高速ダウンリンク受信機能の起動の動作例を示すフローチャートである。
【発明を実施するための形態】
【００２２】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００２３】
本来、高速ダウンリンク受信機能をサポートしているセル間でのセル更新／選択であれば、高速ダウンリンク受信機能は停止せず継続できる。しかし、高速ダウンリンク受信機能をサポートしていないセルが再接続先となった場合、ＲＲＣ接続の切断が発生し、データ受信を再開にするために再接続を実施する必要がある。この時、ＵＥの受信環境状態によっては、高速ダウンロード機能起動時に受信していたレベルと異なるため、再接続時の初期送信電力によっては、セル再接続に失敗し、セル更新がスムーズに行われない場合が考えられる。
【００２４】
高速ダウンロード機能の送信電力は、ＦＡＣＨ  ＦＰで指定される送信電力オフセット値から決定される。ＦＡＣＨ  ＦＰは、上位装置からＵＥへ通知される情報である。送信電力オフセット値は、ＵＥから通知されるＲＡＣＨ  Ｍｅａｓｕｒｅｍｅｎｔ  Ｒｅｐｏｒｔ（ＣＰＩＣＨ  Ｅｃ／Ｎｏ）に基づいて、上位装置によって決定される。そこで、本発明では、ＲＲＣ接続を切断する前に使用していた電力情報を、高速ダウンロード機能をサポートしていないセルの再接続時にて継続して使用する。これによって、できるだけ高速ダウンロード受信機能を動作させていた環境（無線状況）に近い形で再接続をさせるような制御を行う。すなわち、ＵＥから上位装置にステータス情報をフィードバックし、直前まで使用していた電力情報を活用することでＲＲＣ再接続処理を促進する方法を提供する。
【００２５】
次に本発明に係る実施形態の詳細を説明する。実施形態では、ＨＳＰＡを行う移動体通信システムを想定している。そこで、無線ネットワーク制御装置（Radio Network Controller : RNC）、ＮｏｄｅＢ、及びユーザ端末（以降、ＵＥ）から構成される移動体通信システムを用いて説明する。
【００２６】
図１は、無線ネットワーク制御装置（以降、ＲＮＣ）、ＮｏｄｅＢの構成例を示すブロック図である。図２は、ＵＥの構成例を示すブロック図である。
本実施形態では、上位装置として、無線ネットワーク制御装置１が、Ｉｕｂ（バックホール接続）を介して、ＮｏｄｅＢと接続される構成を示す。
ＲＮＣ１は、送受信部１−１、制御部１−２、及び下り送信電力決定部１−３を備える。送信部１−１は、Ｉｕｂからのデータを送受信する。制御部１−２は、ＲＲＣメッセージ等を処理する。下り送信電力決定部１−３は、ＵＥから通知される高速ダウンリンク機能のＳＴＡＴＥ情報を元に下り送信電力パラメータを決定する。
【００２７】
ＮｏｄｅＢ２は、アンテナ部２−１、受信部２−２（逆拡散含む）、チャネル復号部２−３、制御部２−４、送信部２−５、チャネル符号化部２−６、及びネットワーク部２−７を備える。受信部２−２と、チャネル復号部２−３とを、受信制御部２−８ということもある。送信部２−５と、チャネル符号化部２−６とを、送信制御部２−９ということもある。受信部２−２は、逆拡散の機能を含む。制御部２−４は、各機能部を制御する。図１では、制御部２−４の制御を点線で示している。具体的には、制御部２−４は、各部の動作に必要な情報を提供し、また各部の起動や停止、初期化を行う。送信部２−５は、拡散の機能を含む。
【００２８】
ＮｏｄｅＢ２では、受信部２−２は、ＵＥ３から送信された上り信号を、アンテナ部２−１を経由して受信する。受信部２−２は、受信した上り信号を復調、逆拡散処理後、チャネル復号部２−３へ出力する。チャネル復号部２−３は、受信部２−２から出力された信号を軟判定処理し、ＣＰＩＣＨ  Ｅｃ／Ｎｏが含まれるＲＡＣＨデータ（メッセージ部）をネットワーク部２−７に通知する。ＮｏｄｅＢ２ではＲＡＣＨデータ内部については特別意識する必要がない。制御部２−４は、上位装置から指定された送信電力パラメータに従い、高速ダウンロード機能を動作させる制御を行う。ネットワーク部２−７は、復号されたＲＡＣＨデータを上位装置に通知するためのフォーマット変換を実施し、ＲＡＣＨ  ＦＰとしてＩｕｂを経由しＲＮＣ１に通知する。
【００２９】
ＵＥ３は、アンテナ部３−１、受信部３−２、チャネル復号部３−３、ＨＳ−ＰＤＳＣＨ処理部３−４、ＨＳＰＡ制御部３−５、ＣＰＩＣＨ  Ｅｃ／Ｎｏ算出部３−６、制御チャネル処理部３−７、高速ダウンロード機能判定部３−８、チャネル符号化部３−９、及び送信部３−１０を備える。受信部３−２、チャネル復号部３−３、ＨＳ−ＰＤＳＣＨ処理部３−４、ＨＳＰＡ制御部３−５、ＣＰＩＣＨ  Ｅｃ／Ｎｏ算出部３−６、制御チャネル処理部３−７、及び高速ダウンロード機能判定部３−８を、受信制御部３−１１ということもある。チャネル符号化部３−９と、及び送信部３−１０とを、送信制御部３−１２ということもある。
【００３０】
ＵＥ３の受信および送信動作について述べる。ＵＥ３での高速ダウンロード機能動作は、ＰＣＣＰＣＨ（システム情報ブロードキャスト方式）もしくは、上位から通知されるレイヤ３メッセージ（Radio Resource Control : RRC）にて認識しているものとする。
受信部３−１は、ＮｏｄｅＢ２から送信された信号を、アンテナ部３−１を経由して受信する。受信部３−２は、受信した信号を復調、逆拡散処理後、チャネル復号部３−３へ出力する。
チャネル復号部３−３は、受信部３−２から出力された信号がＨＳＤＰＡである場合、ＨＳ−ＳＣＣＨおよびＨＳ−ＰＤＳＣＨの軟判定出力信号を取得する。また、チャネル復号部３−３は、受信部から出力された信号にＣＰＩＣＨが含まれる場合、ＣＰＩＣＨ  Ｅｃ／Ｎｏ算出部３−６へ出力する。
制御チャネル処理部３−７は、チャネル復号部３−３から出力されたＨＳ−ＳＣＣＨの入力に応じて、ＨＳ−ＳＣＣＨをデコードし、デコードが成功したかどうかをＨＳＰＡ制御部３−５に通知する。制御チャネル処理部３−７は、デコードが成功した場合、さらにＨＳ−ＰＤＳＣＨのデコード情報をＨＳＰＡ制御部３−５へ通知する。また、制御チャネル処理部３−７は、ＰＣＣＰＣＨもしくは、上位から通知されるレイヤ３メッセージに高速ダウンロード機能させるのに必要な情報要素（ＩＥ）が存在していた場合、高速ダウンロード機能判定部３−８へ制御情報（ＩＥ）を通知する。
【００３１】
ＣＰＩＣＨ  Ｅｃ／Ｎｏ算出部３−６は、チャネル復号部３−３から出力されたＣＰＩＣＨの入力を受けて受信伝播環境を示すＣＰＩＣＨ  Ｅｃ／Ｎｏ、ＲＳＣＰを算出しＨＳＰＡ制御部３−５へ通知する。
ＨＳ−ＰＤＳＣＨ処理部３−４は、ＱＰＳＫおよび１６ＱＡＭ復調器を持つ。ＨＳ−ＰＤＳＣＨ処理部３−５は、チャネル復号部３−３から出力されたＨＳ−ＰＤＳＣＨの入力に応じて、ＨＳ−ＰＤＳＣＨの復調処理を行う。その後、デインターリーバ処理を行い、レートデマッチング処理（レートマッチングの逆の処理）を実施する。レートデマッチング処理後、ＨＳＰＡ制御部３−５からのＨＳ−ＰＤＳＣＨデコード情報と共に復調したＨＳ−ＰＤＳＣＨをデコードし、そのＣＲＣ結果をＨＳＰＡ制御部３−５へ通知する。
ＨＳＰＡ制御部３−５は、ＨＳ−ＰＤＳＣＨ３−４から出力されたＣＲＣ結果を解析し、ＣＲＣ結果にＰＣＣＰＣＨ（ブロードキャスト情報（ＳＩＢ５／５ｂｉｓ，ＳＩＢ６））、または、上位から通知されるレイヤ３メッセージが含まれている場合、ＰＣＣＰＣＨ、または、レイヤ３メッセージを、制御チャネル処理部３−７へ出力する。
【００３２】
なお、高速ダウンロード機能では、ＨＳ−ＤＰＣＣＨにてＡＣＫ／ＮＡＣＫ情報およびＣＱＩ情報を通知する必要がない。そのためＨＳ−ＤＰＣＣＨのエンコード処理も実施されない。
高速ダウンロード機能判定部３−８は、制御チャネル処理部３−７から通知されるＩＥを用いて、ＳＴＡＴＵＳ情報を更新し、ＨＳＰＡ制御部３−５へ通知する。
チャネル符号化部３−９は、ＨＳＰＡ制御部３−５からのＣＰＩＣＨ  Ｅｃ／Ｎｏ、ＳＴＡＴＵＳ情報を受けて、ＰＲＡＣＨを生成し、ＰＲＡＣＨのエンコード処理を行う。
また、ＨＳＰＡ制御部３−５は、上記各部を制御するものであり（点線で示す）、各部の動作に必要な情報を提供し、また各部の起動や停止、初期化を行う。
【００３３】
図３を参照してＵＥ３およびＲＮＣ１における下り送信電力決定処理部１−３の動作フローチャートについて説明する。図３は、ユーザ端末において高速ダウンリンク受信機能を実施中に、セル更新が発生した場合の動作例を示すフローチャートである。
ＵＥ３は、高速ダウンリンク機能動作中にセル更新が発生し、再接続先が高速ダウンリンク機能をサポートしていないセルだった場合、図５の高速ダウンロード機能動作プロセスを実行する［ステップＳ１１］。その後ＲＲＣ切断が発生し、データ受信を再開にするために再接続を実施する［ステップＳ１２でＹＥＳ］。
【００３４】
ＵＥ３は、アイドリング状態に遷移したと同時に再接続処理を開始する［ステップＳ１３］。高速ダウンリンク機能判定部３−８は、更新したＳＴＡＴＵＳ情報をＨＳＰＡ制御部３−５に通知する。ＨＳＰＡ制御部３−５は、ＲＡＣＨ（RACH Measurment Report）にＳＴＡＴＵＳを盛り込む［ステップＳ１４］。次に、ＣＰＩＣＨ  Ｅｃ／Ｎｏ算出部３−６は、ＣＰＩＣＨ  Ｅｃ／Ｎｏを取得し、ＨＳＰＡ制御部３−５へ通知する［ステップＳ１５］。ＨＳＰＡ制御部３−５は、取得したＣＰＩＣＨ  Ｅｃ／Ｎｏを、従来どおりＲＡＣＨデータ（RACH Measurement Result）に設定し盛り込む［ステップＳ１６］。チャネル符号化部３−９は、最終的にＳＴＡＴＵＳ情報（HS_DSCH_RECEPTION_CELL_FACH変数 / HS_DSCH_RECEPTION_OF_CCCH変数 / INVALID_CONFIGRATION変数）とＣＰＩＣＨ  Ｅｃ／Ｎｏとを盛り込んだＰＲＡＣＨを生成し、ＮｏｄｅＢ２にＰＲＡＣＨを送信する［ステップＳ１７］。
【００３５】
ＮｏｄｅＢ２では、ＵＥ３から受信したＰＲＡＣＨを復号し［ステップＳ１８］、ＩｕｂにＲＡＣＨ  ＦＰとして送出し、ＲＮＣ１に通知する［ステップＳ１９］。
【００３６】
次にＲＮＣ１では、送信部１−１が、ＲＡＣＨ  ＦＰを受信する。そして、制御部１−２は、受信したＲＡＣＨ  ＦＰを解析することによって、該当ユーザがＲＲＣ切断されたことを確認する［ステップＳ２０でＹＥＳ］。ここで、ＲＲＣ切断について説明する。ＲＮＣ１は、ユーザ単位でＲＲＣ状態を管理する。ＲＲＣ状態は、全部で５つあり、アインドリング状態、ＣＥＬＬ＿ＰＣＨ状態、ＣＥＬＬ＿ＦＡＣＨ状態、ＵＲＡ＿ＰＣＨ状態、ＣＥＬＬ＿ＤＣＨ状態を含む。ＲＲＣ切断の確認は、このアイドリング状態にいるかどうかを判断することによって行う。
【００３７】
その後、送信部１−１は、再接続を要求するＲＡＣＨ  ＦＰ（Measurment Result）の受信を待つ［ステップＳ２１］。ＲＡＣＨ  ＦＰ（Measurment Result）を受信した場合［ステップＳ２１でＹＥＳ］、制御部１−２は、ＲＡＣＨ  ＦＰからＣＰＩＣＨ  Ｅｃ／ＮｏおよびＩＮＶＡＬＩＤ＿ＣＯＮＦＩＧＲＡＴＩＯＮ変数を取り出し［ステップＳ２２］、ＵＥ３の高速ダウンリンク機能の起動状態を確認する［ステップＳ２３］。より具体的には、制御部１−２は、１つ上のＰＲＡＣＨで通知される、Ｍｅａｓｕｒｅｍｅｎｔ  Ｒｅｓｕｌｔから情報要素であるＳＴＡＴＵＳ情報とＣＰＩＣＨ  Ｅｃ／Ｎｏを取得し、下り送信電力決定部１−３へ引き渡す。
【００３８】
下り送信電力決定部１−３は、下り送信電力決定処理を実行する［ステップＳ２３］。下り送信電力決定処理は、図４を参照して後述する。下り送信電力決定部１−３で決定されたＦＡＣＨ送信電力オフセット値を元に、送信部１−１は、ＦＡＣＨ  ＦＰが生成し、生成したＦＡＣＨ  ＦＰをＮｏｄｅＢ２へ送信する［ステップＳ２４］。
【００３９】
次に、図４を参照してＲＮＣ１における下り送信電力決定部１−３の動作フローチャートについて述べる。図４は、下り送信電力決定処理の動作例を示すフローチャートである。
下り送信電力決定部１−３は、ＲＡＣＨ  Ｍｅａｒｓｕｒｅｍｎｔ  Ｒｅｓｕｌｔで通知されるＵＥにおける高速ダウンリンク機能のＳＴＡＴＵＳ情報を取得する［ステップＳ３１］。下り送信電力決定部１−３は、そのＳＴＡＴＵＳ情報から取得したＩＮＶＡＬＩＤ＿ＣＩＮＦＩＧＲＡＴＩＯＮ変数の値を確認する［ステップＳ３２］。
下り送信電力決定部１−３は、ＩＮＶＡＬＩＤ＿ＣＩＮＦＩＧＲＡＴＩＯＮ変数が１（起動）だった場合には、本提案の電力制御処理は行なわず、高速ダウンロード機能の動作を継続させる［ステップＳ３２でＮＯ］。
【００４０】
下り送信電力決定部１−３は、ＩＮＶＡＬＩＤ＿ＣＩＮＦＩＧＲＡＴＩＯＮ変数が０（停止）だった場合［ステップＳ３２でＹＥＳ］、引き続きＨＳ＿ＤＳＣＨ＿ＲＥＣＥＰＴＩＯＮ＿ＯＦ＿ＣＣＣＨ変数も偽（０：ＦＡＬＳＥ）であるかどうかを確認する［ステップＳ３３］。ＨＳ＿ＤＳＣＨ＿ＲＥＣＥＰＴＩＯＮ＿ＯＦ＿ＣＣＣＨ変数も偽（ＦＡＬＳＥ）である場合［ステップＳ３３でＹＥＳ］、下り送信電力決定部１−３は、高速ダウンロード機能を停止する直前に送信していたＦＡＣＨ送信電力オフセット（P_fach_offset_old）を記憶する［ステップＳ３４］。
【００４１】
下り送信電力決定部１−３は、ＦＡＣＨ送信電力オフセット（P_fach_offset_old）を記憶したのち、セル更新前のＣＰＩＣＨ送信電力（P_cpich_old）にＦＡＣＨ送信電力オフセット（P_fach_offset_old）を加味した送信電力値（P_old_fach）（直前の送信電力値）を算出する［ステップＳ３５］。具体的には、下り送信電力決定部１−３は、セル更新前のＣＰＩＣＨ送信電力（P_cpich_old）にＦＡＣＨ送信電力オフセット（P_fach_offset_old）を加算する。なお、ＦＡＣＨ送信電力オフセット（P_fach_offset_old）は、プラス／マイナスどちらでも取り得る値である。
【００４２】
次に、受信したＳＴＡＴＳＵ情報と共に受信したＣＰＩＣＨ  Ｅｃ／Ｎｏから必要とされる送信電力値（P_c）を算出する［ステップＳ３６］。なお、必要とされる送信電力の算出方法についてここではその詳細の説明を省略する。ステップＳ３５で算出した送信電力値（P_old_fach）と、ステップ１１で算出した送信電力の値（P_c）とを比較する［ステップＳ３７］。
【００４３】
Ｐ＿ｏｌｄ＿ｆａｃｈの値がＰ＿ｃよりも小さい場合［ステップＳ３７でＹＥＳ］、下り送信電力決定部１−３は、その差分の電力を算出し［ステップＳ３８］、再接続先で使用するＦＡＣＨ送信電力オフセット（Ｐ＿ｆａｃｈ＿ｏｆｆｓｅｔ＿ｎｅｗ）を決定する［ステップＳ３９］。例えば、ステップＳ３８において、Ｐ＿ｏｌｄ＿ｆａｃｈからＰ＿ｃを差し引いて差分を算出し、ステップＳ３９において、算出した差分をＰ＿ｏｌｄ＿ｆａｃｈへ加算して、Ｐ＿ｆａｃｈ＿ｏｆｆｓｅｔ＿ｎｅｗとする。
【００４４】
Ｐ＿ｏｌｄ＿ｆａｃｈの値がＰ＿ｃよりも大きい場合［ステップＳ３７でＮＯ］、下り送信電力決定部１−３は、再接続先で使用するＦＡＣＨ送信電力オフセットにＰ＿ｆａｃｈ＿ｏｆｆｓｅｔ＿ｏｌｄを適用する［ステップＳ４０］。
このように再接続先での受信環境が劣化している状況と判断し、高速ダウンロード機能が動作していたセルで最後に送信したＦＡＣＨ送信電力オフセット分も考慮し補正する。最終的にＦＡＣＨの送信電力オフセットパラメータを決定し、ＮｏｄｅＢに送信するＦＡＣＨ  ＦＰ作成する。
【００４５】
本発明により、高速ダウンロード機能が動作している状態においては、高速ダウンロード機能がサポートされているセルから未サポートのセルに遷移した場合に、高速ダウンロード機能の起動状態情報をＲＡＣＨ  Ｍｅａｓｕｒｅｍｅｎｔ  Ｒｅｓｕｌｔと合わせて通知することができ、かつセル遷移前に送信していたＦＡＣＨの送信電力情報（オフセット）は、上位装置（ＲＮＣ）で記憶しておくことができ、新たに必要とする新規の情報ではないため、端末側の新たな制御が不要であり比較的簡単に実現が可能な利点がある。
【００４６】
その他の実施形態
本発明の下り送信電力決定部１−３が実行する下り送信電力決定処理（図４）はプログラムによって実現することができる。
プログラムは、コンピュータ内のメモリにロードされ、ＣＰＵ（Central Processing Unit）の制御のもとで実行される。
下り送信電力決定処理のプログラムは、少なくとも以下の手順をコンピュータに実行させる。また、より詳細には図４に示す手順をコンピュータに実行させる。（１）ユーザ端末が高速ダウンリンク受信機能で動作しているときの送信電力を取得する取得手順［ステップＳ３１］、（２）送信電力に応じて、ユーザ端末が再接続するときの送信電力オフセットを決定する決定手順［ステップＳ３２−Ｓ４０］。
【００４７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
なお、本発明は上記に示す実施形態に限定されるものではない。本発明の範囲において、上記実施形態の各要素を、当業者であれば容易に考えうる内容に変更、追加、変換することが可能である。
【符号の説明】
【００４９】
１  ＲＮＣ
１−１  送受信部
１−２  制御部
１−３  下り送信電力決定部
２  ＮｏｄｅＢ
２−１  アンテナ部
２−２、３−２  受信部
２−３  チャネル復号部
２−４  制御部
２−５、３−１０  送信部
２−６  チャネル符号化部
２−７  ネットワーク部
２−８、３−１１  受信制御部
２−９、３−１２  送信制御部
３  ユーザ端末（ＵＥ）
３−１  アンテナ部
３−３  チャネル復号部
３−４  ＨＳ−ＰＤＳＣＨ処理部
３−５  ＨＳＰＡ制御部
３−６  ＣＰＩＣＨ  Ｅｃ／Ｎｏ算出部
３−７  制御チャネル処理部
３−８  高速ダウンロード機能判定部
３−９  チャネル符号化部
【図１】
2012004929.tif 000003
【図２】
2012004929.tif 000004
【図３】
2012004929.tif 000005
【図４】
2012004929.tif 000006
【図５】
2012004929.tif 000007